(57)【要約】【課題】ハレーションの発生を抑制することができる表示制御装置および表示制御方法を提供すること。【解決手段】映像の視認性を向上する映像補正処理を実行する直射補正部１１ｃと、映像の輝度に応じた発光量でバックライト２２を発光させ、かつ、バックライト２２の発光量に応じて映像の輝度を補正するバックライト制御処理を実行するバックライト制御部１１ｄとを備える。そして、バックライト制御部１１ｄは、直射補正部１１ｃによって映像補正処理が実行された場合に、バックライト制御処理を停止又は抑制する。【選択図】図２
2012173576.tif 000002
【特許請求の範囲】
【請求項１】
表示パネルに映像を表示させると共に、前記表示パネルへ光を照射するバックライトの発光量を制御する表示制御装置であって、
前記映像の視認性を向上する映像補正処理を実行する補正部と、
前記映像の輝度に応じた発光量で前記バックライトを発光させ、かつ、当該バックライトの発光量に応じて前記映像の輝度を補正するバックライト制御処理を実行するバックライト制御部と、を備え、
前記バックライト制御部は、
前記補正部によって前記映像補正処理が実行された場合に、前記バックライト制御処理を規制することを特徴とする表示制御装置。
【請求項２】
前記補正部は、
前記表示パネル周辺の照度が所定以上の場合に、前記映像補正処理を実行する
ことを特徴とする請求項１に記載の表示制御装置。
【請求項３】
前記バックライト制御部は、
前記補正部によって前記映像補正処理が実行された場合に、前記表示パネル周辺の照度に応じた規制内容で前記バックライト制御処理を規制する
ことを特徴とする請求項１又は２に記載の表示制御装置。
【請求項４】
前記バックライト制御部は、
前記映像を構成する画素を輝度値の高いものから順に計数し、当該計数した画素の累積数が第１の閾値に達した場合の輝度値に基づいて前記バックライトの暫定的な発光量を決定する暫定発光量決定手段と、
前記暫定発光量決定手段によって決定された暫定的な発光量と第２の閾値の値とを比較する比較手段と、
前記比較手段による比較の結果、前記暫定的な発光量が第２の閾値を超える場合に、前記暫定的な発光量よりも少ない発光量を前記バックライトの確定的な発光量として決定する確定発光量決定手段と
を備え、
前記第１の閾値および前記第２の閾値のうち少なくとも一方を変更することによって、前記バックライト制御処理を規制することを特徴とする請求項１〜３のいずれか１項に記載の表示制御装置。
【請求項５】
表示パネルに映像を表示させると共に、前記表示パネルへ光を照射するバックライトの発光量を制御する表示制御方法であって、
前記映像の視認性を向上する映像補正処理を実行する補正手順と、
前記映像の輝度に応じた発光量で前記バックライトを発光させ、かつ、当該バックライトの発光量に応じて前記映像の輝度を補正する処理を、前記補正手順によって前記映像補正処理が実行された場合に、規制するバックライト制御手順と
を含むことを特徴とする表示制御方法。
【発明の詳細な説明】
【技術分野】
【０００１】
本発明は、表示制御装置および表示制御方法に関する。
【背景技術】
【０００２】
近年、カーナビゲーションの普及に伴い、自動車には液晶表示パネルを有する車載装置が搭載されることが一般的となってきている。
【０００３】
液晶表示パネルは、バックライトから照射された光を部分的に遮ったり透過させたりすることによって映像の表示を行っているが、バックライトによる消費電力の高さが省電力化の妨げとなっている。
【０００４】
そこで、近年では、バックライトによる消費電力を削減するための様々な試みがなされている。例えば、特許文献１には、映像の輝度に応じてバックライトの発光量を制御することで、バックライトによる消費電力を削減する技術が開示されている。
【０００５】
特許文献１に記載の技術では、映像に含まれる画素の輝度分布を作成し、この輝度分布を用いて高輝度側から累積画素数を計数していき所定の画素数に達した位置の輝度値に基づき、映像の輝度を上げると共にバックライトの発光量を低減する。これにより、バックライトによる消費電力を削減している。
【先行技術文献】
【特許文献】
【０００６】
【特許文献１】特開２００７−２１９４７７号公報
【発明の概要】
【発明が解決しようとする課題】
【０００７】
しかしながら、映像の視認性を向上する映像補正処理を行った場合、映像の輝度が上がる。そのため、映像補正処理に加え、上述したバックライトの制御を行った場合、さらに映像の輝度が上がってハレーションが発生する可能性がある。ハレーションとは、映像中の特に明るい部分の色がつぶれたように見える現象である。
【０００８】
本発明は、上記に鑑みてなされたものであって、ハレーションの発生を抑制することができる表示制御装置および表示制御方法を提供することを目的とする。
【課題を解決するための手段】
【０００９】
上述した課題を解決し、目的を達成するために、本発明に係る表示制御装置は、表示パネルに映像を表示させると共に、前記表示パネルへ光を照射するバックライトの発光量を制御する表示制御装置であって、前記映像の視認性を向上する映像補正処理を実行する補正部と、前記映像の輝度に応じた発光量で前記バックライトを発光させ、かつ、当該バックライトの発光量に応じて前記映像の輝度を補正するバックライト制御処理を実行するバックライト制御部と、を備え、前記バックライト制御部は、前記補正部によって前記映像補正処理が実行された場合に、前記バックライト制御処理を規制することを特徴とする。
【００１０】
また、本発明の表示制御方法は、表示パネルに映像を表示させると共に、前記表示パネルへ光を照射するバックライトの発光量を制御する表示制御方法であって、前記映像の視認性を向上する映像補正処理を実行する補正手順と、前記映像の輝度に応じた発光量で前記バックライトを発光させ、かつ、当該バックライトの発光量に応じて前記映像の輝度を補正する処理を、前記補正手順によって前記映像補正処理が実行された場合に、規制するバックライト制御手順とを含むことを特徴とする。
【発明の効果】
【００１１】
本発明によれば、映像の視認性を向上させる映像補正処理が実行された場合には、バックライトの制御処理を規制するため、ハレーションの発生を抑制することができる。
【図面の簡単な説明】
【００１２】
【図１】図１は、本発明に係る実施形態の表示制御手法の概要を示す図である。
【図２】図２は、実施例に係る表示制御装置の構成を示すブロック図である。
【図３】図３は、制御パラメータテーブルの一例を示す図である。
【図４】図４は、実施例に係る発光量決定部の構成を示すブロック図である。
【図５】図５は、発光量決定部の動作例を示す図である。
【図６】図６は、ＲＧＢ変換情報の一例を示す図である。
【図７】図７は、実施例に係る表示制御装置の処理手順を示すフローチャートである。
【発明を実施するための形態】
【００１３】
以下に添付図面を参照して、本発明の実施形態に係る表示制御装置および表示制御方法の実施例を詳細に説明する。
【００１４】
まず、実施例の詳細な説明に先立って、本発明の実施形態に係る表示制御手法の概要について説明する。図１は、本発明の実施形態に係る表示制御手法の概要を示す図である。
【００１５】
本実施形態に係る表示制御手法は、映像の視認性を向上する映像補正処理と、バックライトの消費電力を低減するバックライト制御との連携によって、映像中の特に明るい部分の色がつぶれたように見える現象（ハレーション）の発生を抑制するものである。
【００１６】
かかる表示制御手法においては、図１に示すように、表示制御装置の補正部が、照度センサから出力される照度値の情報を取得する（ステップＳ１）。照度センサは、表示パネル周辺に配置されており、表示パネル周辺の照度を検出する。
【００１７】
補正部は、照度センサから照度値を取得すると、この照度値が予め設定された閾値を超える場合には、映像補正処理をＯＮ状態にする。一方、補正部は、照度値が予め設定された閾値以下である場合には、映像補正処理をＯＦＦ状態にする（ステップＳ２）。
【００１８】
したがって、表示パネル周辺の照度が高くなって、表示パネルに表示される映像（以下、「表示映像」と記載する）の視認性が低下するような状況になると、補正部の映像補正処理がＯＮ状態になる。そして、この映像補正処理によって、表示映像の視認性が向上される。なお、表示パネル周辺の照度が高くなる要因として、例えば、直射日光などの外光が射し込むような場合がある。
【００１９】
補正部による映像補正処理は、照度値に応じて映像の輝度およびコントラストを上げることによって行うものである。なお、映像補正処理は、これに限られず、映像の視認性を向上する処理であればよい。例えば、照度値に応じて映像の輝度を上げることによって映像の視認性を向上させてもよい。
【００２０】
補正部は、映像補正処理をＯＮ状態にした場合、ＯＮ情報をバックライト制御部へ出力し、映像補正処理をＯＦＦ状態にした場合、ＯＦＦ情報をバックライト制御部へ出力する。バックライト制御部は、補正部からＯＦＦ情報を取得すると、バックライト制御をＯＮ状態にする一方、補正部からＯＮ情報を取得すると、バックライト制御をＯＦＦ状態にする（ステップＳ３）。
【００２１】
バックライト制御は、入力される映像情報に応じた映像（以下、「入力映像」と記載する）の輝度に応じた発光量でバックライトを発光させ、かつ、バックライトの発光量に応じて入力映像の輝度を補正する制御である。これにより、バックライトの消費電力を削減している。
【００２２】
すなわち、バックライトの発光量を低減すると表示パネルに表示される映像（以下、「表示映像」と記載する）の輝度が低下するが、映像処理によって映像の輝度を上げることで、表示映像の輝度の低下を抑えつつ、バックライトの消費電力を削減する。
【００２３】
以上のように、補正部およびバックライト制御部のＯＮ／ＯＦＦの設定が行われる。映像処理がＯＮ状態になった場合、バックライト制御がＯＦＦ状態になるため、その後、映像情報が入力された場合に（ステップＳ４）、ハレーションの発生を抑制することができる。
【００２４】
すなわち、映像の視認性を向上する映像補正処理によって映像の輝度が上がった場合に、さらに、バックライト制御によって映像の輝度が上がると、ハレーションが発生する恐れがあるが、バックライト制御をＯＦＦ状態にすることでハレーションの発生を抑制することができる。
【００２５】
一方、補正部がＯＦＦ状態になった場合には、バックライト制御がＯＮ状態になるため、バックライトの消費電力を低減することができる。なお、映像補正処理がＯＮ状態になった場合にバックライト制御をＯＦＦ状態にするのではなく、抑制するようにしてもよい。例えば、照度センサによって検出された照度値に応じた抑制量でバックライト制御を抑制する。
【００２６】
このように、本実施形態の表示制御手法では、映像補正処理の状態に応じてバックライト制御の状態を変更するため、補正部およびバックライト制御部を有しながらも、ハレーションの発生を抑制することができる。
【００２７】
なお、上述においては、照度値が予め設定された閾値を超える場合に視認性を向上する映像補正処理をＯＮ状態にする例について説明したが、例えば、ユーザの操作部への操作によって映像補正処理をＯＮ状態とするようにしてもよい。また、例えば、複数の映像ソースから映像情報を取得するような場合、照度値に関わらず、特定の映像ソースから取得した映像情報について視認性を向上する映像補正処理をＯＮ状態にしてもよい。
【００２８】
以下では、図１を用いて説明した表示制御手法を適用した表示制御装置についての実施例を詳細に説明する。なお、以下に示す実施例では、車載用の表示装置を制御する表示制御装置に対して本表示制御手法を適用する場合について説明する。ただし、本発明に係る表示制御装置は、これに限ったものではなく、携帯端末装置やＰＣ（Personal Computer）あるいはＴＶ（Television）のように、バックライトを用いて表示を行う表示装置を備える各種の装置に対して適用することができる。
【実施例】
【００２９】
図２は、本実施例に係る表示制御装置の構成を示す図である。なお、図２には、表示制御装置の特徴を説明するために必要な構成要素のみを示しており、一般的な構成要素についての記載を省略している。この表示制御装置１０は、例えば、ＡＳＩＣ（Application Specific Integrated Circuit）などによって構成することができる。図２に示すように、本実施例に係る表示制御装置１０は、表示装置２０の表示制御を行う装置である。
【００３０】
表示装置２０は、表示パネル２１と、バックライト２２とを備えている。表示パネル２１は、表示制御装置１０から出力される映像情報に応じた映像を表示する液晶表示パネルなどの表示部である。また、バックライト２２は、表示パネル２１の背面側に設けられた照明装置であり、表示パネル２１に対して背面側から光を照射する。 
【００３１】
つづいて、本実施例に係る表示制御装置１０の構成について説明する。本実施例に係る表示制御装置１０は、制御部１１と、記憶部１２とを備えている。また、制御部１１は、映像情報取得部１１ａと、照度情報取得部１１ｂ、直射補正部１１ｃと、バックライト制御部１１ｄとを備えている。また、記憶部１２は、制御パラメータテーブル１２ａを記憶している。 
【００３２】
制御部１１は、映像情報の取得、直射補正、バックライト制御といった処理を実行する処理部である。映像情報取得部１１ａは、映像情報を取得し、取得した映像情報を直射補正部１１ｃへ渡す。この映像情報取得部１１ａが取得する映像情報には、例えば、車両周辺を撮像する車載カメラから出力される撮像映像の情報、カーナビゲーション装置から出力されるナビゲーション用の映像情報、ＤＶＤ再生装置から出力されるＤＶＤの映像情報、およびデジタルテレビ放送受信装置から出力されるＴＶ映像の情報などがある。
【００３３】
照度情報取得部１１ｂは、照度センサ３０から照度情報を取得し、取得した照度情報を直射補正部１１ｃへ渡す。照度センサ３０は、表示装置２０周辺の明るさを示す照度値を検出し、検出した照度値の情報を照度情報として直射補正部１１ｃへ出力するセンサである。
【００３４】
直射補正部１１ｃは、直射日光等の影響によって表示映像の視認性の低下を抑制するために、照度センサ３０から取得した照度情報に応じて映像情報を補正する。かかる直射補正部１１ｃは、視認性補正部４１、彩度補正部４２およびブレンド部４３を備えている。
【００３５】
視認性補正部４１は、映像情報取得部１１ａから出力される映像情報（以下、「原映像情報」と記載する）に応じた映像に含まれる輪郭部分を際立たせるようにエッジ補正を行い、補正後の映像情報を彩度補正部４２へ出力する。
【００３６】
彩度補正部４２は、視認性補正部４１によって補正された映像情報に応じた映像に含まれる中間色を原色へ近づけるように階調補正を行い、補正後の映像情報をブレンド部４３へ出力する。これらの視認性補正部４１および彩度補正部４２の処理によって、直射日光等の影響が最も強い状況の下で最も視認性が向上するように補正された映像情報（以下、「改善映像情報」と記載する）が生成される。
【００３７】
ブレンド部４３は、映像情報取得部１１ａから出力される原映像情報に対して彩度補正部４２から出力される改善映像情報を、照度センサ３０によって検出された照度値に応じたブレンド比でブレンドし、ブレンド後の映像情報を表示パネルへ出力する。
【００３８】
かかるブレンド部４３は、照度センサ３０によって検出された照度値と予め設定された閾値とを比較して、ブレンド処理をＯＦＦ状態にするかＯＮ状態にするかを決定する。具体的には、ブレンド部４３は、照度センサ３０によって検出された照度値が予め設定された閾値以下である場合は、原映像情報と改善映像情報との比を１対０として、原映像情報に改善映像情報をブレンドせずに、ブレンド処理をＯＦＦ状態にする。これにより、映像の視認性を向上する映像補正処理がＯＦＦ状態になる。
【００３９】
一方、照度センサ３０によって検出された照度値が予め設定された閾値を超える場合、ブレンド部４３は、ブレンド処理をＯＮ状態にする。すなわち、ブレンド部４３は、照度値が高いほど、ブレンド後の映像情報に占める改善映像情報のブレンド率が高く、原映像情報のブレンド率が低くなるようにブレンド比を調整するブレンド処理を行う。
【００４０】
また、ブレンド部４３は、ブレンド処理の状態を示す情報（以下、「ブレンド処理状態情報」と記載する）をバックライト制御部１１ｄへ渡す。これにより、ブレンド処理の状態に応じてバックライト制御部１１ｄが動作する。なお、ブレンド処理の状態には、ＯＦＦ状態、ＯＮ状態に加え、ＯＮ状態の場合にブレンド率を含む。
【００４１】
バックライト制御部１１ｄは、サブサンプリング部５１と、ヒストグラム生成部５２と、発光量決定部５３と、発光量規制部５４と、ＰＷＭ（Pulse Width Modulation）生成部５５と、ＲＧＢ変換部５６とを備える。
【００４２】
サブサンプリング部５１は、映像情報取得部１１ａから映像情報を取得した場合に、取得した映像情報に対してサブサンプリングを行う処理部である。また、サブサンプリング部５１は、サブサンプリング後の映像情報をヒストグラム生成部５２へ渡す処理も併せて行う。ここで、サブサンプリングとは、取得した映像情報から画素を間引く処理を示す。このように、取得した映像情報に対してサブサンプリングを行うことによって、後述するヒストグラム生成部５２や発光量決定部５３といった処理部の処理速度を高めることができる。
【００４３】
ヒストグラム生成部５２は、サブサンプリング部５１から取得したサブサンプリング後の映像情報を用いてヒストグラムを生成する処理部である。ヒストグラムとは、映像情報を構成する画素の輝度分布をあらわす情報である。ヒストグラム生成部５２は、映像情報に含まれるＲ，Ｇ，Ｂの各成分うち、最も値の大きい成分を用いてヒストグラムを生成し、生成したヒストグラムを発光量決定部５３へ渡す。
【００４４】
発光量決定部５３は、ヒストグラム生成部５２によって生成されたヒストグラムを、制御パラメータを用いて解析することによって、バックライト２２の確定発光量を決定する処理部である。
【００４５】
発光量決定部５３は、直射補正部１１ｃのブレンド部４３から出力されるブレンド処理状態情報に応じた制御パラメータを、記憶部１２に記憶している制御パラメータテーブル１２ａから読み出す。そして、読み出した制御パラメータを用いて、ヒストグラム生成部５２によって生成されたヒストグラムを解析する。ここで、制御パラメータテーブル１２ａの内容について説明する。図３は、制御パラメータテーブル１２ａの一例を示す図である。
【００４６】
図３に示すように、制御パラメータテーブル１２ａは、ＤＮＵＭおよびＨオフセットなどの制御パラメータを、各パターン１〜４に対応付けた情報である。パターン１〜３の制御パラメータは、映像補正処理がＯＮ状態の場合に選択される制御パラメータであり、ブレンド率に応じていずれかの制御パラメータが選択される。
【００４７】
例えば、パターン１の制御パラメータは、ブレンド率が２０％以上の場合に選択される制御パラメータである。すなわち、パターン１の制御パラメータを用いた場合には、バックライト２２の発光量は削減されず、映像の輝度も補正されない。また、パターン２の制御パラメータは、ブレンド率が１０％以上２０％未満の場合に選択される制御パラメータであり、パターン３の制御パラメータは、ブレンド率が１０％未満の場合に選択される制御パラメータである。
【００４８】
直射補正部１１ｃによって視認性が向上される映像は、ブレンド率が低いほど、輝度の増加割合が低くなるため、バックライト制御部１１ｄは、ブレンド率に応じて制御パラメータを変更し、表示映像へのハレーションの発生を抑制する。ブレンド率は、表示パネル２１周辺の照度値に応じて変化する。したがって、表示パネル２１周辺の照度に応じた規制内容でバックライト制御処理が抑制されることになる。
【００４９】
このように、直射補正部１１ｃによって映像の視認性を向上する映像補正処理が行われた場合であっても、表示映像にハレーションが発生しないようにバックライト制御を行うことで、表示映像の視認性を向上させつつも、バックライトの消費電力を低減することができる。
【００５０】
一方、パターン４の制御パラメータは、映像補正処理がＯＦＦ状態の場合に選択される制御パラメータである。パターン４の制御パラメータは、バックライト制御部１１ｄによるバックライト２２の発光量の削減率が最も高くなる制御パラメータであり、バックライト制御処理は抑制されない。
【００５１】
なお、図３に示す例では、４つのパターンの制御パラメータによって、バックライト制御のＯＮ／ＯＦＦ、およびバックライト制御の抑止を行うようにしているが、一例に過ぎず、これに限られるものではない。例えば、５つ以上のパターンを設けて、バックライトの消費電力をより効果的に削減するようにしてもよい。
【００５２】
また、上述の例では、バックライト制御がＯＮ状態の場合に、バックライト制御をＯＦＦ状態にしたり、抑制したりしたが、バックライト制御を抑制することなくＯＦＦ状態にしてもよい。また、上述では、ＤＮＵＭおよびＨオフセットを変更してバックライト制御の状態を変更したが、Ｈオフセットのみを変更したり、ＤＮＵＭのみを変更したりすることでバックライト制御の状態を変更してもよい。
【００５３】
また、上述の例では、ブレンド処理状態情報に応じた制御パラメータを制御パラメータテーブル１２ａに含ませるようにしたが、直射補正部１１ｃの状態とバックライト制御部１１ｄの状態とを連動することができれば、どのような方法であってもよい。
【００５４】
例えば、表示パネル２１周辺の照度を制御パラメータのパターンに対応付けた制御パラメータテーブルを記憶部１２に記憶しておき、照度センサ３０によって検出された照度値に応じた制御パラメータを記憶部１２から読み出すようにしてもよい。
【００５５】
ここで、発光量決定部５３の具体的な構成について説明する。図４は、本実施例に係る発光量決定部５３の構成を示すブロック図である。図４に示すように、発光量決定部５３は、暫定発光量決定部６１と、比較部６２と、確定発光量決定部６３とを備えている。 
【００５６】
暫定発光量決定部６１は、ヒストグラム生成部５２から取得したヒストグラムとＤＮＵＭとを用いて暫定発光量を決定する処理部である。ＤＮＵＭは、累積画素数の閾値を示す制御パラメータである。 
【００５７】
具体的には、暫定発光量決定部６１は、ヒストグラムの高輝度側から順に画素数を計数していき、累積画素数がＤＮＵＭを超えた場合におけるヒストグラム上の位置（輝度値）に対応する発光量を暫定発光量として決定する。また、暫定発光量決定部６１は、暫定発光量を決定すると、決定した暫定発光量を比較部６２へ渡す処理も併せて行う。 
【００５８】
比較部６２は、暫定発光量決定部６１によって決定された暫定発光量と記憶部１２に記憶されたＨオフセットとを比較する処理部である。また、比較部６２は、暫定発光量とＨオフセットとの比較結果を確定発光量決定部６３へ渡す処理も併せて行う。Ｈオフセットは、バックライト２２の発光量の上限値を示す制御パラメータである。
【００５９】
ここで、かかる発光量決定部５３の動作例について説明する。図５は、発光量決定部５３の動作例を示す図である。なお、図５の（Ａ）は、暫定発光量決定部６１の動作例を、図５の（Ｂ）は、比較部６２および確定発光量決定部６３の動作例をそれぞれ示している。 
【００６０】
図５の（Ａ）に示すように、暫定発光量決定部６１は、ヒストグラムにおける輝度値「２５５」の位置を計数開始ポイントとし、各輝度値に対応する画素数を計数開始ポイントから低輝度側へ向かって順に計数していく。そして、暫定発光量決定部６１は、累積画素数がＤＮＵＭに達した位置を算出ポイントとして定め、かかる算出ポイントの輝度値に対応する発光量を暫定発光量として決定する。 
【００６１】
例えば、暫定発光量決定部６１は、累積画素数がＤＮＵＭに達した位置の輝度値が「２００」である場合には、「２００」を暫定発光量として決定する。
【００６２】
また、比較部６２は、暫定発光量決定部６１によって決定された暫定発光量とＨオフセットとの比較を行い、比較結果を確定発光量決定部６３へ渡す。そして、確定発光量決定部６３は、図５の（Ｂ）に示すように、暫定発光量がＨオフセット以下である場合には、暫定発光量を確定発光量として決定する。一方、確定発光量決定部６３は、暫定的発光量がＨオフセットを超える場合には、Ｈオフセットを確定発光量として決定する。
【００６３】
ここで、制御パラメータテーブル１２ａからパターン２が選択された場合、図３に示すように、ＤＮＵＭは「２００」、Ｈオフセットは「１９５」となる。したがって、例えば、累積画素数がＤＮＵＭに達した位置の輝度値が「２０５」である場合には、暫定発光量が「２０５」となるため、確定発光量がＨオフセットの「１９５」となる。一方、累積画素数がＤＮＵＭに達した位置の輝度値が「１９０」である場合には、暫定発光量が「２０５」となるため、確定発光量が暫定発光量の「１９０」となる。
【００６４】
このように、暫定発光量がＨオフセットを超える場合には、暫定発光量よりも少ない発光量であるＨオフセットを確定発光量とすることによって、明るい映像が入力された場合であっても、バックライト２２の消費電力の削減量を極力多くすることができる。
【００６５】
上記制御から分かるように、ＤＮＵＭは小さければ小さいほど、Ｈオフセットは大きければ大きいほど、確定発光量が大きくなる傾向へ向かう。したがって、ＤＮＵＭを小さくし、Ｈオフセットを大きくすることで、バックライト２２の発光量の削減率が低下する。一方、ＤＮＵＭを大きくし、Ｈオフセットは小さくすることで、バックライト２２の発光量の削減率が増加する。
【００６６】
従って、例えば、図３に示すように、制御パラメータテーブル１２ａを構成することによって、直射補正部１１ｃによって映像の視認性を向上する映像補正処理を行った場合であっても、表示映像中へのハレーションの発生を抑制しつつ、バックライト制御を行うことができる。
【００６７】
すなわち、映像の視認性を向上させる割合が小さい場合には、バックライトの発光量を小さくしても、表示映像にハレーションが発生しにくいため、ＤＮＵＭを小さくし、Ｈオフセットを大きくする。一方、映像の視認性を向上させる割合が大きい場合には、バックライトの発光量を小さくすると、表示映像にハレーションが発生する恐れがあるため、ＤＮＵＭを大きくし、Ｈオフセットを小さくする。
【００６８】
図２に戻り、制御部１１の説明を続ける。発光量規制部５４は、バックライト２２の発光量の急激な変化によって生じる画面のちらつきを防止するため、発光量決定部５３から取得した確定発光量と現在の発光量との差分に基づいて発光量の変化量を制限する発光量規制処理を行う。 
【００６９】
具体的には、発光量規制部５４は、確定発光量と現在の発光量との差分が所定の閾値よりも大きい場合に、変化量の上限値として予め決められた値を現在の発光量に対して加算（あるいは減算）した値を、最終的な発光量とする。一方、確定発光量と現在の発光量との差分が所定の閾値未満の場合には、発光量規制部５４は、確定発光量を最終的な発光量とする。発光量規制部５４は、最終的な発光量（以下、「最終確定発光量」と記載する）を決定すると、この最終確定発光量をＰＷＭ生成部５５へ渡す。 
【００７０】
また、発光量規制部５４は、最終確定発光量を決定すると、ＲＧＢ変換情報を用いて最終確定発光量に対応するＲＧＢ変換係数を決定し、決定したＲＧＢ変換係数をＲＧＢ変換部５６へ渡す処理も行う。ここで、ＲＧＢ変換情報の内容について説明する。図６は、ＲＧＢ変換情報の一例を示す図である。 
【００７１】
図６に示すように、ＲＧＢ変換情報は、「最終確定発光量」ごとに「ＲＧＢ変換係数」を対応付けた情報である。ここで、「最終確定発光量」は、発光量規制部５４によって決定された最終確定発光量を示し、「ＲＧＢ変換係数」は、Ｒ，Ｇ，Ｂの各成分の値（ＲＧＢ値）に対して掛け合わせる係数である。 
【００７２】
例えば、最終確定発光量が「２５５（１００％）」である場合には、ＲＧＢ変換係数は「１．００」となる。これは、入力データのＲＧＢ値が、そのまま出力データのＲＧＢ値となることを示している。また、最終確定発光量が「２４０（９３．７５％）」である場合には、ＲＧＢ変換係数は「１．０３」となる。これは、入力データのＲＧＢ値を１．０３倍した値が出力データのＲＧＢ値となることを示している。 
【００７３】
このように、ＲＧＢ変換情報では、最終確定発光量が少なくなるほど、すなわち、バックライト２２の発光量が少なくなり画面が暗くなるほど、ＲＧＢ変換係数が高くなるように設定されている。なお、発光量規制部５４は、最終確定発光量を決定すると、決定した最終確定発光量と対応付けられたＲＧＢ変換係数をＲＧＢ変換情報から読み出し、読み出したＲＧＢ変換係数をＲＧＢ変換部５６へ渡す。 
【００７４】
図２に戻り、制御部１１の説明を続ける。ＰＷＭ生成部５５は、発光量規制部５４から最終確定発光量を取得すると、バックライト２２の発光量が最終確定発光量となるようにパルス幅が調整されたＰＷＭ信号を生成してバックライト２２へ出力する処理部である。なお、ＰＷＭ生成部５５は、ＶＳＹＮＣが１回出力されるごとに、ＰＷＭ信号を４回出力することとしている。 
【００７５】
ＲＧＢ変換部５６は、映像情報取得部１１ａから取得した映像情報に含まれるＲ，Ｇ，Ｂの各成分の値に対して、発光量規制部５４から取得したＲＧＢ変換係数を掛け合わせるＲＧＢ変換処理を行う。また、ＲＧＢ変換部５６は、ＲＧＢ変換処理後の映像情報を表示パネル２１へ出力する処理も併せて行う。 
【００７６】
例えば、ＲＧＢ変換部５６は、ＲＧＢ変換係数「１．２６」を取得した場合、映像情報取得部１１ａから取得した映像情報に含まれるＲ，Ｇ，Ｂの各成分の値を１．２６倍する。そして、ＲＧＢ変換部５６は、Ｒ，Ｇ，Ｂの各成分の値を１．２６倍した映像情報を表示パネル２１へ出力する。
【００７７】
次に、本実施例に係る表示制御装置１０の具体的動作について説明する。図７は、本実施例に係る表示制御装置の処理手順を示すフローチャートである。なお、図７においては、表示制御装置１０が実行する処理手順のうち、直射補正部１１ｃおよびバックライト制御部１１ｄにおける一部の処理手順のみを示している。
【００７８】
図７に示すように、表示制御装置１０では、照度情報取得部１１ｂが、照度センサ３０から照度情報を取得する（ステップＳ１０）。照度情報取得部１１ｂは、取得した映像情報を直射補正部１１ｃへ渡す。
【００７９】
次に、直射補正部１１ｃは、照度センサ３０によって検出された照度値が予め設定された閾値以下であるか否かを判定する（ステップＳ１１）。照度値が予め設定された閾値以下ではないと判定すると（ステップＳ１１，Ｎｏ）、直射補正部１１ｃは、映像の視認性を向上させる映像補正処理をＯＮ状態にする（ステップＳ１２）。
【００８０】
直射補正部１１ｃにおいて映像補正処理がＯＮ状態になると、バックライト制御部１１ｄは、照度センサ３０によって検出された照度値に応じたブレンド率を判定する。具体的には、直射補正部１１ｃは、照度値に応じたブレンド率が２０％以上であるか否かを判定する（ステップＳ１３）。ブレンド率が２０％以上であると判定すると（ステップＳ１３，Ｙｅｓ）、バックライト制御部１１ｄは、パターン１の制御パラメータを記憶部１２から読み出す（ステップＳ１４）。パターン１の制御パラメータは、バックライト制御をＯＦＦ状態にする制御パラメータであるため、バックライト制御部１１ｄは、バックライト制御をＯＦＦ状態にする。
【００８１】
ブレンド率が２０％以上ではないと判定すると（ステップＳ１３，Ｎｏ）、バックライト制御部１１ｄは、照度値に応じたブレンド率が１０％以上であるか否かを判定する（ステップＳ１５）。ブレンド率が１０％以上であると判定すると（ステップＳ１５，Ｙｅｓ）、バックライト制御部１１ｄは、パターン２の制御パラメータを記憶部１２から読み出す（ステップＳ１６）。そして、バックライト制御部１１ｄは、このように読み出したパターン２の制御パラメータを用いてバックライト制御を行う。
【００８２】
一方、ブレンド率が１０％以上ではないと判定すると（ステップＳ１５，Ｎｏ）、バックライト制御部１１ｄは、パターン３の制御パラメータを記憶部１２から読み出す（ステップＳ１７）。そして、バックライト制御部１１ｄは、このように読み出したパターン３の制御パラメータを用いてバックライト制御を行う。
【００８３】
また、ステップＳ１１において、直射補正部１１ｃは、照度値が予め設定された閾値以下であると判定すると（ステップＳ１１，Ｙｅｓ）、映像の視認性を向上させる映像補正処理をＯＦＦ状態にする（ステップＳ１８）。すなわち、映像の視認性を向上させる映像補正処理を行わない。
【００８４】
そして、バックライト制御部１１ｄは、パターン４の制御パラメータを記憶部１２から読み出す（ステップＳ１９）。そして、バックライト制御部１１ｄは、このように読み出したパターン４の制御パラメータを用いてバックライト制御を行う。
【００８５】
このように、本実施例に係る表示制御装置１０は、輝度値が閾値を超える場合に、映像の視認性を向上する映像補正処理を実行する直射補正部１１ｃと、映像の輝度に応じた発光量でバックライト２２を発光させ、かつ、バックライト２２の発光量に応じて映像の輝度を補正するバックライト制御処理を実行するバックライト制御部１１ｄとを備える。
【００８６】
そして、直射補正部１１ｃによる映像補正処理が実行された場合に、バックライト制御処理を停止又は抑制することによって、バックライト制御処理を規制する。このように、映像補正処理とバックライト制御とを連携させることによって、映像補正処理およびバックライト制御の２つの機能を有する場合であっても、表示映像へのハレーションの発生を抑制することができる。
【００８７】
なお、上述した実施例においては、照度センサ３０によって検出された照度値に基づいて、直射補正部１１ｃとバックライト制御部１１ｄとが動作する例を示したが、これに限られるものではない。
【００８８】
例えば、図示しない車載装置の操作部へのユーザの操作量に応じて直射補正部１１ｃとバックライト制御部１１ｄとが動作するようにしてもよい。すなわち、操作量が大きいほど、映像の視認性を大きくする映像補正処理を行うようにしてもよい。
【００８９】
また、映像の種類（例えば、映像ソースの種別や映像のジャンル）に応じて、直射補正部１１ｃをＯＮ状態にするのか、ＯＦＦ状態にするのかを決定してもよい。なお、映像ソースの種別とは、カーナビゲーション装置、車載カメラ、デジタルテレビ放送受信装置、ＤＶＤなどのようなソースの種類である。
【００９０】
また、複数の映像ソースから映像情報を取得するような場合、特定の映像ソース（例えば、車載カメラ）から取得した映像情報については照度値に関わらず視認性を向上する映像補正処理をＯＮ状態にし、その他の映像については照度値に応じて映像補正処理をＯＮ状態にするようにしてもよい。そして、照度値に応じて映像補正処理をＯＮ状態にした場合、バックライト制御をＯＦＦ状態とし、一方、特定の映像ソースからの映像情報に対しては、バックライト制御を抑制する。
【符号の説明】
【００９１】
１０  表示制御装置
１１  制御部
１１ａ  映像情報取得部
１１ｂ  照度情報取得部
１１ｃ  直射補正部
１１ｄ  バックライト制御部
１２  記憶部
２０  表示装置
【図１】
2012173576.tif 000003
【図２】
2012173576.tif 000004
【図３】
2012173576.tif 000005
【図４】
2012173576.tif 000006
【図５】
2012173576.tif 000007
【図６】
2012173576.tif 000008
【図７】
2012173576.tif 000009